(57)【要約】【課題】側面被い板をアオリ板の内側面に起立させた状態で作業員１人でも積込み作業ができる板保持具および板保持セットが望まれている。【解決手段】板保持具１は、アオリ板Ａの内側面Ａ２に添えて配置される側面被い板Ｖに取り付けられるものであって、アオリ板Ａの上端面Ａ１に載せられる載置板部８、載置板部８の内縁８Ａから上向きに延在していて側面被い板Ｖの外側面Ｖ２に固定される固定用板部９、および、載置板部８の外縁８Ｂから下向きに延在していてアオリ板Ａの外側面Ａ３に掛止される掛止板部１０から成る外側部材２と、側面被い板Ｖの内側面Ｖ１に添えて配置される内側部材３と、外側部材２の固定用板部９および内側部材３で挟持されている側面被い板Ｖを固定する固定部材４と、から構成されている。【選択図】図３
2018083580.tif 000002
【特許請求の範囲】
【請求項１】
トラック荷台のアオリ板の上端面よりも高い板高さを有し、且つ、前記アオリ板の内側面に添えて配置されて前記アオリ板の上端面を超える量の積荷を前記トラック荷台に積載するための側面被い板に、取り付けられる板保持具であって、
前記アオリ板の上端面に載せられる載置板部、当該載置板部の内縁から上向きに延在していて前記側面被い板の外側面に固定される固定用板部、および、前記載置板部の外縁から下向きに延在していて前記アオリ板の外側面に掛止される掛止板部から成る外側部材と、
前記外側部材の固定用板部を前記側面被い板に固定する固定部材と、
から構成されていることを特徴とする板保持具。
【請求項２】
前記側面被い板に固定される外側部材の固定位置が、前記側面被い板の下端部がトラック荷台の床面に着き、且つ、前記外側部材の掛止板部が前記アオリ板の外側面に掛止される高さ位置に設定されていることを特徴とする請求項１に記載の板保持具。
【請求項３】
前記外側部材の固定用板部と対面する高さ位置で、且つ、前記側面被い板の内側面に添えて配置される内側部材を備えており、当該内側部材は、前記固定部材により前記固定用板部との間で前記側面被い板を挟持して固定することを特徴とする請求項１または請求項２に記載の板保持具。
【請求項４】
請求項１から請求項３のいずれか一項に記載の板保持具と、
前記板保持具によりアオリ板に保持された側面被い板の上端部に掛止される掛止具と、
一対の掛止具間に架け渡されて張架される張架部材と、から構成されていることを特徴とする板保持セット。
【発明の詳細な説明】
【技術分野】
【０００１】
本発明は、トラック荷台のアオリ板の内側に立てかけられて積載量を暫定的に多くする側面被い板を、アオリ板に保持させる板保持具、および当該板保持具を含む板保持セットに関するものである。
【背景技術】
【０００２】
従来、一般的な平ボディ型のトラックでは、図９に示すように、運転席の背板部Ｂよりも後方にある荷台Ｎの左右辺部に、アオリ板Ａがそれぞれヒンジ部を介して左右揺動自在に取り付けられており、後アオリ板ＡＡも荷台Ｎの後辺部にヒンジ部を介して上下揺動自在に取り付けられている。そして、アオリ板Ａ，Ａに添えられる側面被い板Ｖの高さはアオリ板Ａの上端面Ａ１よりも高くされている。これらの側面被い板Ｖはアオリ板Ａの上端面Ａ１を超える量の積荷を荷台Ｎに積載するためのものであって、アオリ板Ａの内側面Ａ２に添えて配置され、その下端面Ｖ４が荷台Ｎの床面Ｙ上に置かれるようになっている。
【先行技術文献】
【特許文献】
【０００３】
【特許文献１】実開昭６４−３２２３８号公報
【０００４】
【特許文献２】実開平２−６８２３０号公報
【発明の概要】
【発明が解決しようとする課題】
【０００５】
しかしながら、上記の側面被い板Ｖはアオリ板Ａの内側面Ａ２に単に立てかけられているだけなので、作業員が側面被い板Ｖから手を離すと、側面被い板Ｖが下端面Ｖ４を支点として内向き（矢印Ｆ方向）に倒れたり、板高さが高い場合はアオリ板Ａの上端面Ａ１を支点として外向き（矢印Ｅ方向）に倒れたりすることがあった。そのために、回収した産業廃棄物や造園で生じた切り枝などの積荷を荷台Ｎに積込む際には、１人の作業員が側面被い板Ｖを立てて手で押え、別の作業員が積荷を床面Ｙ上に積込んでいたのである。すなわち、少なくとも積込み初期は２人以上の作業員が必要である。また、積込み開始から暫く経った後に側面被い板Ｖを人手なしで起立させておくためには、比較的質量のある積荷を床面Ｙ上の左右隅部の領域Ｒ，Ｒから積み始めて重石の代わりにしなければならない。言い換えれば、床面Ｙ上の任意な位置（例えば中央部分）から積荷を積み始めることはできない。そのうえ、切り枝のように見掛け質量が軽いものであると、せっかく領域Ｒから積み始めても側面被い板Ｖ自体の重さによって積荷を押しのけて、側面被い板Ｖを矢印Ｅまたは矢印Ｆ方向に傾けさせるおそれもある。
【０００６】
他方で、上記の引用文献１，２には、アオリ板の上端部に取り付けられてアオリ板の上方に突出して積載量を暫定的に多くする側面被い板を保持する板保持具が開示されている。これらの板保持具はアオリ板の上端面に取り付けられるものであり、アオリ板の上部に載せられた側面被い板を保持するようになっている。
しかしながら、側面被い板自体はトラック荷台の床面に届くほど上下に長いものではないので、いずれの引用文献の保持具も、アオリ板の上端面に載せられた側面被い板の下端部を保持している。すなわち、側面被い板の下端部をアオリ板の上端部に固定するためには、かなり大きな固定力を必要とするので、アオリ板の上端部に取付け用穴を開けざるを得なかったり、あるいはアオリ板にボルトの締め付けによる傷が生じたりするという懸念がある。また、ボルトなどで固定されるため、積荷状況に応じて即座に取付けたり取外したりできないという不具合もある。
【０００７】
本発明は、上記した従来の問題点に鑑みてなされたものであって、側面被い板をアオリ板の内側面に立てかけた状態で作業員１人でも積荷の積込み・積下ろし作業を行なうことができ、そのうえ簡素な構成でアオリ板に容易に取付け・取外しができる板保持具および板保持セットの提供を目的とする。
【課題を解決するための手段】
【０００８】
上記目的を達成するために、本発明に係る板保持具は、トラック荷台のアオリ板の上端面よりも高い板高さを有し、且つ、アオリ板の内側面に添えて配置されてアオリ板の上端面を超える量の積荷をトラック荷台に積載するための側面被い板に、取り付けられる板保持具であって、アオリ板の上端面に載せられる載置板部、当該載置板部の内縁から上向きに延在していて側面被い板の外側面に固定される固定用板部、および、載置板部の外縁から下向きに延在していてアオリ板の外側面に掛止される掛止板部から成る外側部材と、外側部材の固定用板部を側面被い板に固定する固定部材と、から構成されていることを特徴とするものである。
【０００９】
また、前記構成において、側面被い板に固定される外側部材の固定位置が、側面被い板の下端部がトラック荷台の床面に着き、且つ、外側部材の掛止板部がアオリ板の外側面に掛止される高さ位置に設定されていることを特徴とするものである。
【００１０】
そして、前記した各構成において、外側部材の固定用板部と対面する高さ位置で、且つ、側面被い板の内側面に添えて配置される内側部材を備えており、当該内側部材は、固定部材により固定用板部との間で側面被い板を挟持して固定することを特徴とするものである。
【００１１】
更に、本発明に係る板保持セットは、請求項１から請求項３のいずれか一項に記載の板保持具と、板保持具によりアオリ板に保持された側面被い板の上端部に掛止される掛止具と、一対の掛止具間に架け渡されて張架される張架部材と、から構成されていることを特徴とするものである。
【発明の効果】
【００１２】
本発明に係る板保持具は、載置板部、固定用板部および掛止板部から成る外側部材と、外側部材の固定用板部を側面被い板に固定する固定部材と、から構成されているので、外側部材の固定用板部が固定部材により側面被い板の外側面に固定された状態で、側面被い板がアオリ板の内側面に立てかけられるとともに、外側部材の掛止板部がアオリ板の外側面に掛止されるから、作業員が側面被い板から手を離しても、側面被い板は倒れにくい。従って、作業員１人でも積込み・積下ろし作業を行なうことができ、板保持担当の人員数を削減できる。そのうえ、この板保持具は、極めて簡素な構成で済んで安価に提供され、アオリ板に対し簡単に取付け・取外しを行なうことができる。
【００１３】
また、側面被い板に固定される外側部材の固定位置が、側面被い板の下端部がトラック荷台の床面に着き、且つ、外側部材の掛止板部がアオリ板の外側面に掛止される高さ位置に設定されているものでは、側面被い板が外側部材の掛止板部と側面被い板の下端部との２点で接触支持されるので、安定な起立状態に保持されるから、作業員が手を離しても極めて倒れにくく自立している。従って、板保持用の人員数を確実に削減できる。
【００１４】
そして、外側部材の固定用板部と対面する高さ位置で、且つ、側面被い板の内側面に添えて配置されて固定部材により固定される内側部材を備えているものでは、側面被い板が内側部材と固定用板部との間で挟持されるので、板保持具を側面被い板に確実に固定することができる。
【００１５】
更に、本発明に係る板保持セットは、板保持具と、一対の掛止具と、張架部材とから構成されているので、左右または後のアオリ板に保持されている側面被い板の上端部に掛止具が掛止され、一対の掛止具間に張架部材が架け渡されて張架されるから、アオリ板の内側面に添え置きされた側面被い板の上端部がアオリ板の左右外方や後方に広がって転落するといったことを防止できる。
【図面の簡単な説明】
【００１６】
【図１】本発明の一実施形態に係る板保持具の斜視図である。
【図２】前記板保持具を示した図であって、（ａ）は一側面図、（ｂ）は他側面図である。
【図３】前記板保持具の正面図である。
【図４】前記板保持具を固定された側面被い板をトラックのアオリ板に装着した態様を示す部分側面図である。
【図５】図４の態様を後方から視た部分背面図である。
【図６】前記板保持具とともに用いられる掛止具の斜視図である。
【図７】前記掛止具を示した図であって、（ａ）は背面図、（ｂ）は平面図である。
【図８】本発明に係る板保持セットの板保持具を固定された側面被い板をトラックの左右のアオリ板に装着し、更に左右の側面被い板の上端部に張架部材を張架した態様を後方から視た部分背面図である。
【図９】一般的な側面被い板をトラックのアオリ板の内側に添え置きした態様を示す背面図である。
【発明を実施するための形態】
【００１７】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る板保持具の斜視図、図２は前記板保持具を示した図であって、（ａ）は一側面図、（ｂ）は他側面図、図３は前記板保持具の正面図である。但し、図９に示した従来一般のトラックおよび側面被い板と同一の構成要素には、同一の符号を付すとともにその詳細な説明を省略することがある。
各図において、この実施形態に係る板保持具１は、側面被い板Ｖの外側面Ｖ２に固定される外側部材２と、側面被い板Ｖの内側面Ｖ１に添えて配置される内側部材３と、外側部材２および内側部材３を側面被い板Ｖに固定する固定部材４と、から構成されている。
【００１８】
前記の外側部材２は厚さ２ｍｍ程度の鋼板で構成されており正面から視てクランク状に形成されている。すなわち、外側部材２は、水平方向に配置される載置板部８と、この載置板部８の内縁８Ａから上向きに延在する固定用板部９と、載置板部８の外縁８Ｂから下向きに延在する掛止板部１０と、から構成されている。この外側部材２において、載置板部８はアオリ板Ａの上端面Ａ１に載せられる場合と、上端面Ａ１に載せられず上端面Ａ１の上方位置に浮遊配置されている場合とがある。固定用板部９は側面被い板Ｖの外側面Ｖ２に固定されるようになっている。掛止板部１０はアオリ板Ａの外側面Ａ３に掛止されるようになっている。載置板部８と固定用板部９には左右の補強板部１１，１１が例えば溶接で固着されている。固定用板部９上下位置には、ボルト５を挿通するためのボルト用穴９Ａ，９Ａが穿設されている。
【００１９】
前記の内側部材３は、外側部材２の固定用板部９と対面する高さ位置で、且つ、側面被い板Ｖの内側面Ｖ１に添えて配置される。この内側部材３は側面視で矩形平板状に形成されていて、上下のボルト用穴３Ａ，３Ａが、前記した固定用板部９の一対のボルト用穴９Ａ，９Ａと同じ口径およびピッチで穿設されている。そして、この内側部材３は、固定部材４により固定用板部９との間で側面被い板Ｖを挟持して固定するようになっている。従って、内側部材３の使用により、板保持具１を側面被い板Ｖに確実に固定できるという効果を奏する。
【００２０】
前記の固定部材４は、例えば、ボルト５と、ボルト５の雄ネジ部に装着されるバネ座金６と、ボルト５の雄ネジ部に螺合するナット７と、から構成されている。この例では、ボルト５のボルト頭５Ａが内側部材３の片面に溶接付けされている。尚、本発明に云う固定部材は、前記実施形態のボルト５、バネ座金６およびナット７以外の部材で構成することも可能である。
【００２１】
そして、側面被い板Ｖはアオリ板Ａの内側面Ａ２や後アオリ板ＡＡの内側面に添えて配置されるものであるが、既述したように、トラックＴの荷台Ｎの後アオリ板ＡＡやアオリ板Ａの上端面Ａの高さＨよりも高い板高さＨ０（図５参照）を有している。この側面被い板Ｖは、アオリ板Ａの上端面Ａ１を超える量の積荷ＣをトラックＴの荷台Ｎに積載するためのものである。アオリ板Ａの高さＨよりも高い位置の側面被い板Ｖには、上下のボルト用穴Ｖ３，Ｖ３が固定用板部９の一対のボルト用穴９Ａ，９Ａと同じ口径およびピッチで穿設されている。
【００２２】
また、固定部材４により外側部材２を固定する側面被い板Ｖにおける固定位置は、板高さがＨ０（図５参照）である側面被い板Ｖの下端面（下端部）Ｖ４がトラックＴの荷台Ｎの床面Ｙに着いている状態で、外側部材２の掛止板部１０がアオリ板Ａの外側面Ａ３に掛止され得るような高さＨ（アオリ板Ａの高さと同等）の位置に設定されている。この「外側部材２の掛止板部１０がアオリ板Ａの外側面Ａ３に掛止され得る」とは、外側部材２の載置板部８がアオリ板Ａの上端面Ａ１に載っていず、上端面Ａ１の上方位置に浮いている場合も含まれる。そのような場合でも、外側部材２の掛止板部１０がアオリ板Ａの上端面Ａ１よりも外方で且つ下方位置にあれば、アオリ板Ａの上端部に引っ掛かるので用を為すことができる。
【００２３】
上記のように構成された板保持具１の作用を次に説明する。本実施形態に適用されるトラックＴは例えば平ボディ型であり、図４および図５に示すように、運転席後方の背板部Ｂよりも後ろの部分が荷台Ｎになっている。そして、荷台Ｎの左右辺部には、アオリ板Ａ，Ａがそれぞれヒンジ部１２，１２を介して左右揺動自在に取り付けられている。各アオリ板Ａは、水平方向に延びる上下一対の膨らみ部Ａ４，Ａ４と、これら上下の膨らみ部Ａ４，Ａ４をつなぐ平板部Ａ５と、から構成されている。同様に、後アオリ板ＡＡも、トラックＴの荷台Ｎの後辺部にヒンジ部を介して上下（前後）揺動自在に取り付けられている。
【００２４】
そこで、まず板保持具１が側面被い板Ｖに取り付けられる。この場合、側面被い板Ｖの一側面に内側部材３があてがわれ、内側部材３と一体のボルト５，５が側面被い板Ｖのボルト用穴Ｖ３，Ｖ３に挿通される。次に、側面被い板Ｖの他側面に外側部材２の固定用板部９があてがわれ、固定用板部９のボルト用穴９Ａ，９Ａにボルト５，５が挿通される。そして、ボルト用穴９Ａ，９Ａから露出したボルト５，５にナット７，７が締め付けられることにより、板保持具１が側面被い板Ｖに堅く固定される。
【００２５】
このようにして側面被い板Ｖに一体に固定された板保持具１の掛止板部１０が、アオリ板Ａの膨らみ部Ａ４の外側面Ａ３の外方位置へ配置され、更に板保持具１の載置板部８がアオリ板Ａの上端面Ａ１の上方位置に配置される（図４および図５参照）。その後、作業員がＶを手放すと側面被い板Ｖの下端面Ｖ４が荷台Ｎの床面Ｙに接地し、板保持具１の載置板部８の下面がアオリ板Ａの上端面Ａ１上に載せられる。すると、荷台Ｎに対して側面被い板Ｖおよび板保持具１は、外側部材２の載置板部８の下面と、掛止板部１０の内壁面と、側面被い板Ｖの下端面Ｖ４との３点で接触・支持される。これにより、側面被い板Ｖは作業員の手が離れても倒れることがなく極めて安定に起立している。その状態で積込みの作業員が廃材などの積荷Ｃを床面Ｙ上に積み入れていく。このとき、左右両隅の領域Ｒ，Ｒ（図９参照）から積荷Ｃを搬入していかなくても、側面被い板Ｖ，Ｖは荷台Ｎの内方（図９では矢印Ｆ方向）あるいは外方（図９では矢印Ｅ方向）に倒れていくことがなく、床面Ｙ上のどこからでも無造作に積荷Ｃを積み込んでいくことができる。
【００２６】
上記したように、この実施形態の板保持具１によれば、外側部材２の固定用板部９が固定部材４により外側面Ｖ２に固定されている側面被い板Ｖにおいて、側面被い板Ｖの下端面Ｖ４がトラックＴの荷台Ｎの床面Ｙに着くと同時に、載置板部８の下面がアオリ板Ａの上端面Ａ１上に着地し、且つ、外側部材２の掛止板部１０の内壁面がアオリ板Ａ（高さＨ）の外側面Ａ３に掛止されるので、側面被い板Ｖが外側部材２の載置板部８の下面と、掛止板部１０の内壁面と、側面被い板Ｖの下端面Ｖ４との３点で接触・支持される。従って、側面被い板Ｖは非常に安定な起立状態に保持されるので、作業員が手を離しても極めて倒れにくく起立している。従って、板保持担当の人員を確実に無くすことができ、積込み担当の作業員のみで作業を行なうことができる。
【００２７】
尚、上記の実施形態では、板保持具１を取り付けた側面被い板Ｖのみを用いてトラックＴの荷台に積荷Ｃを積み込む例を示したが、本発明はそれに限定されるものでない。例えば、図６〜図８に示されるような掛止具２０を有する板保持セットＳも、本発明に含まれる。
前記の掛止具２０は、図６および図７に示されるように、側面被い板Ｖの上端面（上端部）Ｖ５に下面２１Ａが載置される平面板部２１と、平面板部２１の一端縁から下向きに延在する垂下板部２２と、平面板部２１の他端縁から下向きに延在する垂下板部２３と、垂下板部２３の外壁面上部に固設された把手状の条体係止部２５と、から構成されている。垂下板部２２と垂下板部２３との間は側面被い板Ｖを抜き差し可能な板収容溝２４となっており、垂下板部２３の外壁面と条体係止部２５との間は、張架部材３２の条体３０を挿通可能な通し穴２６となっている。
【００２８】
前記の張架部材３２は、例えば、合成樹脂製ベルトなどで構成された条体３０と、条体３０の一端部３０Ａと条体３０の他端部３０Ｂとを着脱自在につなぐバックル３１と、から構成されている。バックル３１は、条体３０の一端部３０Ａに取り付けられたバックル片３１Ａと、他端部３０Ｂに取り付けられていてバックル片３１Ａと着脱自在のバックル片３１Ｂと、から構成される。尚、条体としては、合成樹脂製ベルトに替えて、例えば紐体、ワイヤ、ロープなどでも構わない。すなわち、既述した左右の板保持具１，１と、板保持具１により左右のアオリ板Ａ，Ａに保持された側面被い板Ｖ，Ｖの上端面Ｖ５，Ｖ５にそれぞれ掛止される左右の掛止具２０，２０と、左右の掛止具２０，２０間に渡されて張架される張架部材３２とから、本実施形態の板保持セットＳが構成される。
【００２９】
上記した構成の板保持セットＳでは、板保持具１が固定された側被い板ＶがトラックＴの左右のアオリ板Ａ，Ａに装着され、更に左右の側被い板Ｖ，Ｖの上端面Ｖ５，Ｖ５に掛止具２０，２０が嵌着され、掛止具２０，２０の通し穴２６，２６に張架部材３２の条体３０が挿通されることにより、張架部材３２が掛止具２０，２０に渡されて張架され、バックル３１の係合により係止される。
【００３０】
上記した構成の板保持セットＳによれば、左右の掛止具２０，２０が、左右のアオリ板Ａ，Ａに保持されている側面被い板Ｖ，Ｖの上端面（上端部）Ｖ５，Ｖ５にそれぞれ掛止され、張架部材３２が左右の掛止具２０，２０間に架け渡されて張架されるので、アオリ板Ａ，Ａの内側面Ａ２，Ａ２に添え置きされた側面被い板Ｖ，Ｖの上端部がアオリ板Ａ，Ａの左右外方（図９中の矢印Ｅ，Ｅ方向）に広がって側面被い板Ｖ，Ｖがアオリ板Ａ，Ａから外へ転落することを防止できる。
【００３１】
また、上記では、側面被い板Ｖの下端面Ｖ４、載置板部８の下面、掛止板部１０の内側面の３点で側面被い板Ｖをアオリ板Ａに接触・支持させた例を示したが、本発明はそれに限られない。例えば、板保持具１における外側部材２の載置板部８の下面がアオリ板Ａの上端面Ａ１に載っている状態で、下端面Ｖ４が荷台Ｎの床面Ｙよりも上方の位置Ｖ６（図５参照）にあって床面Ｙに届かないような板高さＨ０の側面被い板Ｖである場合、あるいは下端面Ｖ４が床面Ｙに着地し載置板部８の下面がアオリ板Ａの上端面Ａ１から浮いていて、下端面Ｖ４と掛止板部１０での２点支持となる場合も、本発明に適用可能である。それらの場合でも、側面被い板Ｖはアオリ板Ａの内側面Ａ２に立てかけられており、加えて外側部材２の掛止板部１０がアオリ板Ａの外側面Ａ３に掛止されるので、作業員が側面被い板Ｖから手を離しても、側面被い板Ｖは倒れにくい。
【００３２】
そして、上記では内側部材３を有する板保持具１を例示したが、本発明はそれに限られない。例えば、内側部材３を省略して外側部材２と固定部材４だけで構成した板保持具も、本発明に含まれる。この構成の場合、固定部材４のボルト５は内側部材３から分離して用いられる。
【００３３】
更に、以上の各実施形態では、板保持具１を取り付けた側面被い板Ｖを左右のアオリ板Ａ，Ａに配備した例（図５および図８参照）を示したが、本発明はそれらに限られない。図５および図８に示したトラックＴでは、床面Ｙの後辺部にヒンジ部を介して取り付けられている後アオリ板ＡＡを後方に回転させて垂れ下がらせた状態にした例を示している。これに対し、この後アオリ板ＡＡを上向きに戻して起立・固定させ、その内側面に板保持具１付きの側面被い板Ｖを配備した場合も、上記実施形態と同様に、側面被い板Ｖは後アオリ板ＡＡに沿って安定な起立状態に保持されるので、作業員が手を離しても倒れにくいから、積込み担当の作業員のみで作業を行なうことができる。
【００３４】
また、前記したように後アオリ板ＡＡの内側面に添え置きされた側面被い板Ｖに、板保持セットＳを適用する場合は、側面被い板Ｖの上端面に掛止具２０を被着し、この掛止具２０の条体係止部２５に条体３０の一端側を掛止し、条体３０の他端側を背板部Ｂの鳥居などに結び付けることにより、張架部材３２を前後に架け渡して張架することができる。これにより、側面被い板Ｖの上端部が後アオリ板ＡＡの後方に傾いて側面被い板Ｖが後アオリ板ＡＡから転落するといった不具合を防止できる。あるいは、もうひとつの掛止具２０を背板部Ｂの鳥居などに取り付け、この掛止具２０と後アオリ板ＡＡ側の掛止具２０との間に張架部材３２を展張させるようにしてもよい。
【符号の説明】
【００３５】
１    板保持具
２    外側部材
３    内側部材
４    固定部材
５    ボルト
７    ナット
８    載置板部
８Ａ  内縁
８Ｂ  外縁
９    固定用板部
１０  掛止板部
２０  掛止具
３０  条体
３１  バックル
３２  張架部材
Ａ  アオリ板
Ａ１  上端面
Ａ２  内側面
Ａ３  外側面
Ｃ  積荷
Ｈ  高さ
Ｈ０  板高さ
Ｎ  荷台
Ｓ  板保持セット
Ｔ  トラック
Ｙ  床面
Ｖ  側面被い板
Ｖ１  内側面
Ｖ２  外側面
Ｖ４  下端面（下端部）
Ｖ５  上端面（上端部）
Ｖ６  位置
【図１】
2018083580.tif 000003
【図２】
2018083580.tif 000004
【図３】
2018083580.tif 000005
【図４】
2018083580.tif 000006
【図５】
2018083580.tif 000007
【図６】
2018083580.tif 000008
【図７】
2018083580.tif 000009
【図８】
2018083580.tif 000010
【図９】
2018083580.tif 000011